(57)【要約】      （修正有）【課題】流圧を利用して、計量する事なく、液体肥料ないし農薬等を、自動的、かつ連続的に所定濃度に希釈、散布するための液体希釈散布装置を提供する。【解決手段】散水ノズル出水部と、給水栓の蛇口３との間に、液体吸引混合装置を配置し、流圧により、吸引孔から所定量の原液を吸引し、液体と混合する事により、所定濃度に希釈後、散布ノズル８を介して散布する。【選択図】図１
0003159720.tif 000002
【実用新案登録請求の範囲】
【請求項１】
液体の流圧によって、所定量の原液を吸引し、前記液体に前記原液を混合後、所定の倍率に希釈してから、混合希釈液を散布する事を特徴とした液体希釈散布装置。
【請求項２】
前記液体の流量を調節する装置、前記原液の容器から流出する前記原液の流量を調整する装置、のいずれか若しくは両方を具備する事により、前記液体と前記原液の混合比を変える事を特徴とする液体希釈散布装置。
【考案の詳細な説明】
【技術分野】
【０００１】
本考案は、液体の希釈散布装置に関する。各種の液体を自動的に所定濃度に希釈して、広範囲に散布する事を可能とする装置に関する。
【背景技術】
【０００２】
植物の育成を促進する事を目的として、液体肥料等を定期的に広範囲に散布する。液体肥料および農薬等は、その原液が市販されており、これらは、通常５００倍から２０００倍に希釈して使用するように、指示されている。従来は、液体肥料および農薬等の原液を計量し、バケツ等の容器で、予め、水で希釈した溶液をジョーロ等を利用して２ないし６リットル毎に、散布する必要がある。
【考案の概要】
【考案が解決しようとする課題】
【０００３】
散布する液体肥料あるいは農薬等の濃度が高すぎると植物に悪影響を及ぼす事になる。液体肥料あるいは農薬等の効果持続時間の適正化等の理由から、植物の健全な育成にとっては、低濃度の液体肥料を頻繁に散布する方が、通常、効果的と考えられる。一方、散水作業は、給水栓の蛇口に接続した専用ホースを用いて、頻繁に実施する事が可能である。しかし、液体肥料あるいは農薬等の散布については、従来例のように、操作が煩雑で長時間を要するため、頻繁に実施する事は困難でる。また、一般住居であっても、家庭菜園および芝生等に、広範囲に散布する場合、上記従来例では、一連の操作を繰り返す必要があるため、極めて不便である。さらに、上記従来例では、希釈溶液の最終的な必要量を正確に製造調整する事は困難であり、余剰溶液を製造調整して、液体肥料および農薬等を無駄にする事も考えられる。
【０００４】
そこで、本考案は、上記従来例の問題点を解決するため、液体散布の実施時に計量する事なく、より簡便かつ自動的に、より大量の液体肥料ないし農薬等を、より正確に希釈するとともに、散水と同時に散布する事を可能とした装置の提供をする。
【課題を解決するための手段】
【０００５】
本考案の液体散布装置は、上記課題を鑑みて、以下の構成を有している。
【０００６】
給水栓の蛇口と散水ノズル出水部の間の少なくとも１箇所に、図１に示すような構造物を設置する。これにより、給水栓の蛇口から、常時供給される水量に応じて、所定量の液体原液を吸引し、連続的に水と混合する事によって、液体肥料あるいは農薬等を希釈するとともに、散布ノズルから、希釈溶液として散布する。
【考案の効果】
【０００７】
以上の説明から明らかなように、本考案にあっては、次に列挙する効果が得られる。
【０００８】
本考案の液体散布装置は、非常に簡易な構造になるため、安価に制作する事ができる。そのため、液体肥料あるいは農薬等の散布用として、あるいは一般住居での園芸用として、この装置を製造する場合も、安価に提供する事ができる。また、構造が簡易であるため、故障も少ないと考えられる。
【０００９】
原液の希釈混合比の調節を可能にする事で、さらに利便性の良好な液体散布装置を提供する事ができる。
【００１０】
この考案は、水道（井戸水等）の流圧により、自動的に、所定量の液体肥料あるいは農薬等の原液を吸引し、水と混合して希釈してから、散布できる事を可能としたものである。煩雑な計量、操作の繰り返し等の手間を省略し、日常的な散水と同時に、正確な濃度の液体肥料あるいは農薬等を散布する事が可能となる。
【００１１】
給水栓からの水流の停止と同時に、液体肥料あるいは農薬等の吸引も停止するので、原液を無駄にする事もない。当然、希釈した溶液を貯留させるための容器も不要であるので、省スペースとなる。一般住居であっても、広範囲の部分を対象に、頻繁に、液体肥料あるいは農薬等を散布する場合では、特に効果的と考えられる。
【図面の簡単な説明】
【００１２】
【図１】図１は、本考案に係る液体希釈散布装置の実施例１の断面説明図である。
【考案を実施するための最良の形態】
【００１３】
以下、本考案の実施の形態を、図に基づいて説明する。
【実施例１】
【００１４】
図１は、本発明の液体肥料あるいは農薬等を吸引、希釈、散布するための装置である。これは液体吸引混合装置と液体容器から構成されている。給水栓の蛇口からの水流を、分枝管を用いて、２つの水流に分ける。枝分かれによって形成された導管には、液体吸引混合装置には、水流ポンプ（アスピレーター）が設けてあり、これに柔軟性のあるチューブを接続できるようになっている。さらに、水流ポンプは給水栓の蛇口に接続され、他端は、液体容器に接続された構造になっている。原液の容器には、小さな空気孔が設けてあり、液体容器内の液体を吸引した際、液体容器内が負圧になる事を防ぐ事ができる。図１は、給水栓からの水流と水流ポンプとを、結合した状態を示す。両者の遠位端の噴出口を接近させて、前述の水流ポンプからのチューブの液体を、前述の給水栓からの水流に噴出させる。
【００１５】
実施例１として、液体容器に、液体原液を入れ、吸引混合装置と結合し、吸引混合装置の一端を給水栓の蛇口につながるホースに接続し、他端を散布ノズルに接続する。給水栓の蛇口を開栓し、水圧を上げると、吸引混合装置のパイプ内に水流が発生し、液体容器内の液体原液は、チューブを介して、所定量が吸引される。吸引された液体は、吸引混合装置内で水と混合される事によって希釈され、散布ノズルへと供給される。液体の吸引量は、水流によって決定されるので、流量に関わらず、常にぼぼ一定倍率の希釈を実現できる。給水栓を閉栓し、水流を停止すると同時に、液体原液の吸引も停止する。
【実施例２】
【００１６】
実施例２として、液体吸引混合装置と液体容器を分離して、両者を延長チューブで接続し、実施例１を実施する事も可能である。流量調整装置を配置して、吸引量を調製する事も可能である。
【実施例３】
【００１７】
実施例３として、液体吸引混合装置を給水栓の蛇口に設置する事によっても、実施例１を実施する事も可能である。吸引混合装置は、パイプ部が水平であっても、垂直であっても、機能的に支障はない。液体原液を入れる容器のキャップをペットボトル等のキャップと共通にすると、市販されている液体原液を、そのまま利用する事が可能となる。
【実施例４】
【００１８】
実施例４として、液体吸引混合装置を水道ホースリールの入口側に設置する事、本装置と水道用ホースリールを一体型とする事によっても、実施例１を実施する事も可能である。
【産業上の利用可能性】
【００１９】
以上述べたように、本考案の液体散布装置は、非常に簡易な構造になるため、安価に製作する事ができる。そのため、液体肥料および農薬等の散布用として、あるいは一般住居での家庭菜園用、園芸用等として、安価で製造する事ができる。原液の希釈混合比の調節を可能にする事で、利便性の良好な液体散布装置を提供する事ができる。さらに、給水栓からの流水によって、所定量の原液を混合後、希釈してから散布する事を可能としたので、正確な濃度の希釈液体を散布する事が可能となる。
【符号の説明】
【００２０】
１  分技管
２  水流ポンプ（アスピレーター）
３  給水栓の蛇口
４  原液吸引用チューブ
５  原液の容器
６  ホース
７  希釈液用チューブ
８  散布ノズル
９  水道水の水流
１０  希釈液の水流
１１  原液の吸引
１２  水道水の散布
１３  希釈液の散布
【図１】
0003159720.tif 000003
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
給水栓の蛇口と散水ノズル出水部の間の少なくとも１箇所に、水流ポンプを設置し、給水栓から供給される水量に応じて、容器から所定量の原液を吸引し、連続的に水と混合する事によって前記原液を希釈後、混合希釈液として、散布する事を特徴とした液体希釈散布装置。
【請求項２】
給水栓の蛇口と散水ノズル出水部の間の水流量を調節する装置、原液の容器から流出する前記原液の流量を調整する装置、のいずれか若しくは両方を具備する事により、水と前記原液の混合比を変える事を特徴とする液体希釈散布装置。